(57)【要約】【課題】  化石系燃料及び合成燃料を用いて燃料とする内燃機関等の有害な排気ガスを除去すると共に燃焼効率を向上せしめた内燃機関、燃焼機械、燃焼機器具の燃料完全燃焼促進補助装置を提供する。【解決手段】  内燃機関及び燃焼機器具の完全燃焼促進補助装置であって、前記内燃機関等１用の燃料のクラスタサイズを微細化する手段２と、燃焼に必要な空気のクラスタサイズを微細化する手段４を介して前記燃料と前記空気を微細化し、この状態で前記燃料と前記空気を前記内燃機関等１に導入せしめることを特徴とする。【選択図】  図１
2006170174.tif 000002
【特許請求の範囲】
【請求項１】
全ての化石系燃料、合成燃料を用いて燃料とする内燃機関、内燃機械、燃焼機器、燃焼器具における燃料と、燃焼の際に必要とされる空気（酸素等）のクラスタサイズを微細化する手段を介して前記燃料と前記空気を微細化し、この状態で前記燃料を前記内燃機関及び前記燃焼機器具に導入せしめることにより前記燃料の完全燃焼を促進することを特徴とする、化石系燃料完全燃焼促進補助装置。
【請求項２】
前記内燃機関等の前記燃料のクラスタサイズを微細化する手段は燃料供給系統に設けられ、前記燃料の導入方向に沿って上下又は導入方向を囲う状態、及び導入方向に沿って螺旋状態に配設されたマグネットであることを特徴とした請求項１記載の化石系完全燃焼促進補助装置。
【請求項３】
前記燃料の燃焼に必要な前記空気のクラスタサイズを微細化する手段は前記内燃機関等の吸気系統に設けたことを特徴とする請求項１、２記載の化石系燃料完全燃焼促進補助装置。
【請求項４】
金属、樹脂、紙、又は不織布に遠赤外線放射物質（微粉末）を混合、又は塗布、付着、あるいは編み込み、これをフィルタとし、このフィルタを前記内燃機関等の燃焼に必要とされる前記空気の吸気系統に設け、前記空気のクラスタサイズを微細化したことを特徴とする請求項１．２．又は３．記載の化石系燃料完全燃焼補助装置。
【請求項５】
電気石をはじめとする遠赤外線放射特性の優れた１１種類の鉱石及び元素から成る物質を混合した混合物でフィルタを構成し、このフィルタを前記内燃機関等の吸気系統に設けたことを特徴とする請求項１．２．３．又は４の何れかに記載の化石系燃料完全燃焼促進補助装置。
【発明の詳細な説明】
【発明の詳細な説明】
【技術分野】
【０００１】本発明は内燃機関及び燃焼機器具の燃焼効率を向上させ、併せて有害な排気ガスの抑制を図った化石系燃料完全燃焼促進補助装置に関する。
【背景技術】
【０００２】  世界の経済発展に重要な役割を果たしている原動機やジェットエンジン及び内燃機関、燃焼機械、燃焼機器具のほとんどは化石系燃料及び可燃性ガスを燃焼材料としているものである、しかしながら、最近、あらゆる燃焼材料が燃焼した際に排出される有害な排気ガスが、地球温暖化や環境汚染を助長していると地球規模で問題視されている。
【発明が解決しようとする課題】
【０００３】  この発明は、上記した点に鑑みてなされたものであり、その目的とするところは、ジェットエンジンを含む、原動機の原理である内燃機関や燃焼機械、燃焼機器具の燃焼効率を向上させ、併せて有害な排出ガスを抑制する新規な内燃機関及び燃焼機械、燃焼機器具の化石系燃料完全燃焼促進補助装置を提供することにある。
【課題を解決するための手段】
【０００４】  上記課題を解決するため、本発明に係わる内燃機関及び燃焼機器具の化石系燃料完全燃焼促進補助装置の第１態様は、
前記各種燃料である燃焼材料の完全燃焼促進補助装置であって、前記内燃機関等の前記各種燃料と、燃焼に必要とされる空気（酸素等）のクラスタサイズを微細化する手段を介して微細化し、この状態で前記燃料と前記空気を前記内燃機関及び前記燃焼機器具に導入せしめることを特徴とするものであり、
又、第２態様は、
前記燃料のクラスタサイズを微細化する手段は前記内燃機関等の燃料供給系統に設けられ、前記燃料の導入方向に燃料供給管に沿って上下又は、燃料供給管を囲う状態、もしくは燃料供給管に沿って螺旋状態に配設されたマグネット、及び磁気を発生する装置を設け、燃料のクラスタサイズを微細化する、燃料の活性化装置を設けたことを特徴とするものであり、
又、第３態様は、
前記燃料の燃焼に必要な前記空気のクラスタサイズを微細化する手段は前記内燃機関等の吸気系統に設けたことを特徴とするものであり、
又、第４態様は、
金属、樹脂、紙、不織布等、あらゆる材料に遠赤外線放射物質（微粉末）を混合、又は塗布、付着、あるいは編み混み、これをフィルタとし、このフィルタを前記内燃機関等の吸気系統に設け、吸気の際にこの活性化装置を空気（酸素等）が通過するため、前記空気が前記遠赤外線放射物質を含む前記フィルタに衝突及び通過することによりクラスタサイズを微細化するのみならず、液体であっても前記遠赤外線放射物質を含む混合物を液体に浸透、沈澱もしくは前記フィルタに液体を通過させることにより、液体のクラスタサイズも前記空気同様に微細化及び活性化できることを特徴とするものであり、
又、第５態様は、
電気石をはじめとする遠赤外線放射特性の優れた１１種類の鉱石及び元素から成る物質を混合した混合物で固形体やフィルタを構成し、前記固形体の表面や前記フィルタに前記空気を衝突及び通過させるために、前記内燃機関等の吸気系統に設けたことを特徴とするものである。
【発明を実施するための最良の形態】
【０００５】  以下に、本発明に係わる化石系燃料完全燃焼促進補助装置の実施の形態について図面を参照しながら詳細に説明する。
（第１の具体例）
図１は、本発明の第１の具体例であり、図１は、
本発明に係わる内燃機関（原動機）の燃料供給系統と吸気系統の概略構成を示す図、図２は、各種燃料のクラスタサイズを微細化し、活性化するため、燃料供給系統に設けた活性化装置の第１の具体例を示す図、図３は活性化装置の第２の具体例を示す図、図４は、吸気系統に設けた燃焼に必要な空気を活性化するための活性化装置の第１の具体例を示す図であり、これらの図には、
内燃機関等の化石系燃料完全燃焼促進補助装置であって、
前記内燃機関１用の前記燃料のクラスタサイズを微細化（活性化）する手段２を介して前記燃料のクラスタサイズを微細化し、同様に、燃焼に必要な空気のクラスタサイズを微細化する手段４を介するものとする、この状態で前記燃料と前記空気を内燃機関１に導入せしめることを特徴とする化石系燃料完全燃焼促進補助装置のシステムが示され、
また、前記燃料のクラスタサイズを微細化する手段２は、燃料供給系統３に設けられ、前記燃料の導入方向に沿って配設されたマグネット及び磁気を発生する装置の具体例７であることを特徴とする化石系燃料完全燃焼促進補助装置のシステムが示されている。【０００６】  以下に、この具体例を更に詳細に説明する。
図１において、１は内燃機関、５は燃料タンク、２は内燃機関１と燃料タンク５との間の燃料供給系統３に設けた燃料の活性化装置、８は吸気系統４の吸気活性化装置に設けたエアークリーナ用のフィルタである。
燃料供給系統３の燃料活性化装置２内に設けたマグネット７及び磁気を発生する装置を燃料が通過する際、燃料に含まれるプラス（＋）の電荷を持つ物質が円運動を行い、この円運動により磁場が発生する。逆に、磁場が発生すると、その中におかれたものに起電力が発生する。この作用により、燃料を構成している分子式の内、しっかりと共有結合している以外の水素等が分離し、この状態で、燃料が内燃機関１の燃焼室に導かれるので、燃焼室内では、従来に比べて燃焼しやすく、従って、爆発力が大きくなる。【０００７】  図２、図３は、この作用を補助するために設けたマグネットであり、磁気を発生する装置の第１の具体例である。
図４の符号８は、吸気系統４に設けたエアークリーナ用のフィルタを示す図であり、ほこりを除去するために設けられるペーパー状のフィルタ部材に、電気石をはじめとする１１種類の鉱石及び元素から成る物質を混合した混合物を塗布、付着、あるいは編み込むことで、その表面に電荷を生じさせ、空気中に含まれるＨ＋とＯＨ−に分解せしめ、分解したＨ＋とＯＨ−とが、燃焼室において、燃料系統の活性化装置２により活性化された燃料のミストと混ざり合い、ガス化が促進され、これにより、燃料をより完全に燃焼させるように構成した、吸気系統に設けた空気の活性化装置である。【０００８】  図４の符号９は、吸気系統の活性化装置用のフィルタの他の例であり、この例では、燃焼に不必要なゴミ、チリの除去を行うフィルタとは個別に電気石をはじめとする遠赤外線放射特性の優れた１１種類の鉱石及び元素から成る物質を混合した混合物でフィルタを構成し、吸気系統に設け、空気中に含まれる水分を電気分解し、燃焼をより促進し、完全に燃焼させるように構成したものである。
【実施例】
【０００９】  本発明の吸気系統の活性化装置を用いて、ガソリン用内燃機関（自家用車）の排気ガス測定を、活性化装置の取り付け前及び取り付け後に行った結果を以下に示すものである。
車種：ホンダドマーニ
型式：Ｅ−ＭＡ５
Ｅ／型式：Ｂ１８Ｂ
登録番号：湘５０１さ３７９６
測定日：平成１６年１０月２０日
測定場所：自動車メーカー車検検査場
活性化装置装着前測定値
ＣＯ＝０．５１％
ＨＣ＝１１２ｐｐｍ
測定日：平成１６年１０月２７日
活性化装置装着後測定値
ＣＯ＝０．１９％
ＨＣ＝１１２ｐｐｍ
又、国土交通省の定める車検検査時の法定基準値は、以下のとおりである。
ＣＯ＝４．５％
ＨＣ＝１２００ｐｐｍ
【図面の簡単な説明】
【００１０】
【図１】  本発明の第１の具体例である、燃焼機関の燃料供給系統及び吸気供給系統の概略構成を示す図である。
【図２】  本発明の燃料供給系統に設けた、燃料活性化装置内のマグネットの第１の具体例を示す斜視図である。
【図３】  本発明の吸気系統に設けた吸気活性化装置内のフィルタの第１の具体例を示す斜視図である。
【図４】  吸気活性化装置
【符号の説明】
【００１１】１  内燃機関
２  燃料活性化装置
３  燃料導入管
４  吸気活性化装置
５  燃料タンク
６  排気ガス管
７  マグネット
８  フィルタ１
９  フィルタ２
【図１】
2006170174.tif 000003
【図２】
2006170174.tif 000004
【図３】
2006170174.tif 000005
【図４】
2006170174.tif 000006